(57)【要約】【課題】収集周期の異なるフィールドデータに柔軟に対応できるフィールドデータ表示装置およびフィールドデータ表示方法を提供する。【解決手段】トレンドデータ収集サーバ３２は、制御ステーション１，１，・・・からフィールドデータをそれぞれ決められた周期で収集し、それらをタグ名と対応付けてトレンドデータとしてトレンドデータ保存部３１に格納する。表示部３４は、選択操作受付部３３で選択されたトレンドデータを表示画面６上に表示する。選択操作受付部３３は、フィールドデータの収集周期として互いに異なる複数の収集周期が混在するトレンドデータを選択する操作を受け付ける。【選択図】図１
2009301260.tif 000002
【特許請求の範囲】
【請求項１】
複数のフィールドデータを同一のトレンド画面上に表示するフィールドデータ表示装置において、
フィールドデータをそれぞれ決められた周期で収集し、トレンドデータとして格納する格納手段と、
前記格納手段に格納された前記トレンドデータの中から複数のトレンドデータを選択する操作を受け付ける選択操作受付手段と、
前記選択操作受付手段を介して選択された前記複数のトレンドデータを同一のトレンド画面上に表示する表示手段と、
を備え、
前記選択操作受付手段は、前記フィールドデータの前記収集周期として互いに異なる複数の収集周期が混在するトレンドデータを選択する操作を受け付けることを特徴とするフィールドデータ表示装置。
【請求項２】
前記選択操作受付手段は、前記トレンドデータを周期ごとに分類して画面上に表示するとともに、当該画面上での操作を受け付けることを特徴とするフィールドデータ表示装置。
【請求項３】
前記選択操作受付手段を介して選択された前記複数のトレンドデータの組み合わせを再利用可能な状態で記憶する割付情報記憶手段を備えることを特徴とする請求項１または２に記載のフィールドデータ表示装置。
【請求項４】
前記表示手段により表示される画面上の表示データを、前記表示手段により再表示可能な状態で記憶する表示データ記憶手段を備えることを特徴とする請求項１〜３のいずれか１項に記載のフィールドデータ表示装置。
【請求項５】
複数のフィールドデータを同一のトレンド画面上に表示するフィールドデータ表示方法において、
フィールドデータをそれぞれ決められた周期で収集し、トレンドデータとして格納するステップと、
前記格納するステップにより格納された前記トレンドデータの中から複数のトレンドデータを選択する操作を受け付けるステップと、
前記操作を受け付けるステップを介して選択された前記複数のトレンドデータを同一のトレンド画面上に表示するステップと、
を備え、
前記操作を受け付けるステップでは、前記フィールドデータの前記収集周期として互いに異なる複数の収集周期が混在するトレンドデータを選択する操作を受け付けることを特徴とするフィールドデータ表示方法。
【発明の詳細な説明】
【技術分野】
【０００１】
本発明は、複数のフィールドデータを同一のトレンド画面上に表示するフィールドデータ表示装置およびフィールドデータ表示方法に関する。
【背景技術】
【０００２】
フィールド制御システムでは、フィールドデータをリアルタイムに収集し、収集されたデータをトレンドデータとして画面上にグラフを表示するシステムが開発されている。トレンドデータは個々のペンに割り付けることができ、複数のペンを同時に使用することで、同一画面上に複数種類のトレンドデータを表示させることもできる。一方、各フィールドデータの収集周期は、エンジニアリング作業により予め設定される。
【特許文献１】特開２００５−２０８６９８号公報
【発明の開示】
【発明が解決しようとする課題】
【０００３】
しかし、従来のシステムでは、収集周期の異なるフィールドデータを同一のトレンド画面上に表示できず、表示データとして一括して取り扱うこともできないという不都合がある。このため、オペレータが並列表示させたい任意のトレンドデータを同一画面上に表示させ、表示データを一括して取り扱えるシステムの開発が望まれている。さらに、トレンドデータをペンに割り付ける際の操作についてその操作性の向上が望まれる。
【０００４】
本発明の目的は、収集周期の異なるフィールドデータに柔軟に対応できるフィールドデータ表示装置およびフィールドデータ表示方法を提供することにある。
【課題を解決するための手段】
【０００５】
本発明のフィールドデータ表示装置は、複数のフィールドデータを同一のトレンド画面上に表示するフィールドデータ表示装置において、フィールドデータをそれぞれ決められた周期で収集し、トレンドデータとして格納する格納手段と、前記格納手段に格納された前記トレンドデータの中から複数のトレンドデータを選択する操作を受け付ける選択操作受付手段と、前記選択操作受付手段を介して選択された前記複数のトレンドデータを同一のトレンド画面上に表示する表示手段と、を備え、前記選択操作受付手段は、前記フィールドデータの前記収集周期として互いに異なる複数の収集周期が混在するトレンドデータを選択する操作を受け付けることを特徴とする。
このフィールドデータ表示装置によれば、フィールドデータの収集周期として互いに異なる複数の収集周期が混在するトレンドデータを選択する操作を受け付け、選択された複数のトレンドデータを同一のトレンド画面上に表示するので、収集周期が異なるフィールドデータを自由に組み合わせてトレンド表示させることができる。
【０００６】
前記選択操作受付手段は、前記トレンドデータを周期ごとに分類して画面上に表示するとともに、当該画面上での操作を受け付けてもよい。
【０００７】
前記選択操作受付手段を介して選択された前記複数のトレンドデータの組み合わせを再利用可能な状態で記憶する割付情報記憶手段を備えてもよい。
【０００８】
前記表示手段により表示される画面上の表示データを、前記表示手段により再表示可能な状態で記憶する表示データ記憶手段を備えてもよい。
【０００９】
本発明のフィールドデータ表示方法は、複数のフィールドデータを同一のトレンド画面上に表示するフィールドデータ表示方法において、フィールドデータをそれぞれ決められた周期で収集し、トレンドデータとして格納するステップと、前記格納するステップにより格納された前記トレンドデータの中から複数のトレンドデータを選択する操作を受け付けるステップと、前記操作を受け付けるステップを介して選択された前記複数のトレンドデータを同一のトレンド画面上に表示するステップと、を備え、前記操作を受け付けるステップでは、前記フィールドデータの前記収集周期として互いに異なる複数の収集周期が混在するトレンドデータを選択する操作を受け付けることを特徴とする。
このフィールドデータ表示方法によれば、フィールドデータの収集周期として互いに異なる複数の収集周期が混在するトレンドデータを選択する操作を受け付け、選択された複数のトレンドデータを同一のトレンド画面上に表示するので、収集周期が異なるフィールドデータを自由に組み合わせてトレンド表示させることができる。
【発明の効果】
【００１０】
本発明のフィールドデータ表示装置によれば、フィールドデータの収集周期として互いに異なる複数の収集周期が混在するトレンドデータを選択する操作を受け付け、選択された複数のトレンドデータを同一のトレンド画面上に表示するので、収集周期が異なるフィールドデータを自由に組み合わせてトレンド表示させることができる。
【００１１】
本発明のフィールドデータ表示方法によれば、フィールドデータの収集周期として互いに異なる複数の収集周期が混在するトレンドデータを選択する操作を受け付け、選択された複数のトレンドデータを同一のトレンド画面上に表示するので、収集周期が異なるフィールドデータを自由に組み合わせてトレンド表示させることができる。
【発明を実施するための最良の形態】
【００１２】
以下、図１〜図６を参照して、本発明によるフィールドデータ表示装置の一実施形態について説明する。
【００１３】
図１は、本実施形態のフィールドデータ表示装置が使用されるフィールド制御システムの構成を示すブロック図である。
【００１４】
図１に示すように、フィールド制御システムは、プラント内に分散配置される制御ステーション１，１，・・・と、制御ステーション１，１，・・・を介してフィールド機器２，２，・・・を統合的に操作、監視する操作監視ステーション３と、を備える。また、制御ステーション１，１，・・・および操作監視ステーション３を結ぶネットワーク４には、エンジニアリングステーション５が接続されている。
【００１５】
操作監視ステーション３は、本実施形態のフィールドデータ表示装置を構成する。
【００１６】
図１に示すように、操作監視ステーション３には、制御ステーション１，１，・・・からフィールドデータをそれぞれ決められた周期で収集し、それらをタグ名と対応付けてトレンドデータとしてトレンドデータ保存部３１に格納するトレンドデータ収集サーバ３２と、表示対象とするトレンドデータを選択する操作を受け付ける選択操作受付部３３と、選択されたトレンドデータを表示画面６上に表示する表示部３４と、表示画面６上に表示された表示データを保存する表示データ保存部３５と、選択操作受付部３３への操作に基づいて作成されたペン割付情報を保存するペン割付情報保存部３６と、が設けられている。
【００１７】
トレンドデータ保存部３１は格納手段に、表示部３４は表示手段に、選択操作受付部３３は選択操作受付手段に、表示データ保存部３５は表示データ記憶手段に、ペン割付情報保存部３６はペン割付情報記憶手段に、それぞれ対応する。
【００１８】
一方、エンジニアリングステーション５には、フィールドデータの収集方法をタグ名および収集周期を対応付けて定義する定義ビルダ５１と、定義ビルダ５１により作成された定義を保存する定義保存部５２とが設けられている。
【００１９】
図２は、操作監視ステーション３の動作を示すフローチャートである。
【００２０】
図２のステップＳ１〜ステップＳ３は、トレンド画面の表示処理を示している。図３は表示画面６上に表示されるトレンド画面を示している。
【００２１】
ステップＳ１では、選択操作受付部３３に対する操作に基づき、表示部３４において現在のペン割付情報を取得する。ペン割付情報はトレンド画面上のペンとタグ名とを対応付けており、ペンの数は最大で８本とされる。図６（ａ）は、ペン割付情報のデータ構成を示す図である。図６（ａ）に示すように、ペン割付情報は、各ペンにフィールドデータの収集周期と、当該フィールドデータのタグ名とを対応付けた情報である。フィールドデータの収集周期には、複数の周期（図６（ａ）では、１分間、２分間など）が混在しており、異なる収集周期で収集されたフィールドデータのトレンドグラフを、同一のトレンド画面上に表示できる。
【００２２】
次に、ステップＳ２では、トレンドデータ収集サーバ３２は、現在のペン割付情報に基づき、各ペンに対応付けられたタグ名のトレンドデータをトレンドデータ保存部３１から取得し、表示部３４に渡す。
【００２３】
次に、ステップＳ３では、表示部３４はトレンドデータ保存部３１から取得されたトレンドデータを、対応するペンにより表示画面６上に描画し、ステップＳ１へ戻る。これにより、図３に示すように、ペン割付情報に従って、現在各ペンに割り付けられているタグのトレンドデータが、領域６１にトレンドグラフとしてリアルタイムに表示される。また、領域６２には、各ペンに割り付けられているタグのフィールドデータの現在値が数値表示される。
【００２４】
図２のステップＳ１１〜ステップＳ１２は、ランチャー画面を用いたペン割付処理を示している。
【００２５】
図４は、表示画面６に表示されるランチャー画面を示す図である。ランチャー画面には、トレンドデータ保存部３１に格納されたトレンドデータのタグ名の一覧が展開表示される。タグ名は定義ビルダ５１を用いて作成され定義保存部５２に保存された定義に従って、ブロックおよびグループによって順次、階層化されており、ランチャー画面に反映される。各ブロックは、トレンドデータ収集サーバ３２におけるフィールドデータの収集周期に対応付けられ、同一ブロック内では収集周期が同一とされている。
【００２６】
ユーザはランチャー画面を操作することで、トレンド画面への操作に関するタブ６３を開くとともに、ブロック、グループを順次、指定して展開させることで、任意のトレンドデータのタグ名を画面上に表示できる。図４の例では、ブロックおよびグループを、「BLOCK 01」→「GROUP 02」の順に展開した状態を示している。展開表示された特定タグ名（例えば、「PVI_RAMP01.PV」）を選択し、表示画面６上に同時に表示されているトレンド画面（図３）の領域６１にドラッグ＆ドロップすると、対応するトレンドデータが特定のペンに割り付けられる。このように、簡単な操作でトレンドデータをペンに割り付けることができる。
【００２７】
ステップＳ１１では、選択操作受付部３３において、ランチャー画面を用いた上記操作により、トレンドデータがペンに割り付けられたか否か判断し、判断が肯定されるのを待ってステップＳ１２へ進む。
【００２８】
ステップＳ１２では、選択操作受付部３３は、ランチャー画面に対する上記操作を現在のペン割付情報に反映させるとともに、そのペン割付情報をペン割付情報保存部３６に保存し、ステップＳ１１へ戻る。このようなペン割付情報の変更は、トレンド画面（図３）の表示にリアルタイムに反映される。
【００２９】
このように、ユーザはランチャー画面を用いて任意のブロック（収集周期）に属する任意のタグを組み合わせてペンに割り付けることができ、同一のトレンド画面に複数の収集周期が混在するトレンドデータがリアルタイムに表示される。
【００３０】
図２のステップＳ２１〜ステップＳ２３は、ペン割付変更画面によるペン割付変更の処理を示している。
【００３１】
図５は、表示画面６に表示されるペン割付変更画面を示す図である。ペン割付変更画面では、収集周期およびタグ名を選択するための８つの領域（領域６４など）が設けられる。各領域においてブロック（収集周期）を選択することで、そのブロックに含まれるタグ名の一覧から任意のタグ名を指定できる。これにより最大で８本のペンについてトレンドデータを割り付けることができる。例えば、図５の例では、領域６４において特定のタグ名「PVI_RAMP01.PV」が指定されており、対応するトレンドデータが特定のペンに割り付けられる。なお、ペン割付変更画面のデフォルトとして、現在の割付情報が反映されるようにしてもよい。
【００３２】
図２のステップＳ２１では、選択操作受付部３３において、ペン割付変更画面を呼び出す操作が行われるのを待って、ステップＳ２２へ進む。
【００３３】
ステップＳ２２では、表示部３４はペン割付変更画面を呼び出し表示画面６上に表示する。
【００３４】
次に、ステップＳ２３では、ペン割付変更画面に対する上記操作により、ペンに対するトレンドデータの新たな割り付けが行われたか否か判断し、判断が肯定されればステップＳ２４へ進み、判断が否定されればステップＳ２１へ戻る。
【００３５】
ステップＳ２４では、ペン割付変更画面に対する上記操作を現在のペン割付情報に反映させるとともに、そのペン割付情報をペン割付情報保存部３６に保存し、ステップＳ１１へ戻る。このようなペン割付情報の変更は、トレンド画面（図３）の表示にリアルタイムに反映される。
【００３６】
このように、ユーザはペン割付変更画面を用いて任意のブロック（収集周期）に属する任意のタグを組み合わせてペンに割り付けることができ、同一のトレンド画面に複数の収集周期が混在するトレンドデータがリアルタイムに表示される。
【００３７】
図２のステップＳ３１〜ステップＳ３２は、表示データの保存処理を示している。
【００３８】
トレンド画面（図３）に表示されている表示データを保存したい場合、ユーザは、トレンド画面の表示データ保存ボタン６６をクリックすることで、現在表示されているトレンド画面の表示データを表示データ保存部３５に保存することができる。
【００３９】
図２のステップＳ３１では、表示データ保存ボタン６６（図３）がクリックされるのを待ってステップＳ３２へ進む。ステップＳ３２では、表示部３４は、現在トレンド画面上に表示している表示データを表示データ保存部３５に保存し、ステップＳ３１へ戻る。
【００４０】
図６（ｂ）は、表示データのデータ構成を示す図である。図６（ｂ）に示すように、表示データはペンごとに時刻とデータ値とが対応付けられたデータである。
【００４１】
図２のステップＳ４１〜ステップＳ４２は、保存された表示データの取得処理を示している。
【００４２】
表示データ保存部３５に保存されている表示データをトレンド画面に表示させたい場合、ユーザがトレンド画面の保存データ取得ボタン６７（図３）をクリックすると、表示データ保存部３５に保存されている表示データがトレンド画面にトレンドグラフとして表示される。
【００４３】
図２のステップＳ４１では、トレンド画面の保存データ取得ボタン６７（図３）がクリックされるのを待ってステップＳ４２へ進む。ステップＳ４２では、表示部３４は、表示データ保存部３５に保存されている表示データを取得するとともに、トレンド画面上にトレンドグラフとして表示し、ステップＳ４１へ戻る。
【００４４】
このように、トレンド画面の表示データを一括して保存するとともに、保存された表示データを利用することができる。
【００４５】
以上説明したように、本発明のフィールドデータ表示装置によれば、フィールドデータの収集周期として互いに異なる複数の収集周期が混在するトレンドデータを選択する操作を受け付け、選択された複数のトレンドデータを同一のトレンド画面上に表示するので、収集周期が異なるフィールドデータを自由に組み合わせてトレンド表示させることができる。
【００４６】
本発明の適用範囲は上記実施形態に限定されることはない。本発明は複数のフィールドデータを同一のトレンド画面上に表示するフィールドデータ表示装置およびフィールドデータ表示方法に対し、広く適用することができる。
【図面の簡単な説明】
【００４７】
【図１】一実施形態のフィールドデータ表示装置が使用されるフィールド制御システムの構成を示すブロック図。
【図２】操作監視ステーションの動作を示すフローチャート。
【図３】トレンド画面を示す図。
【図４】ランチャー画面を示す図。
【図５】ペン割付変更画面を示す図。
【図６】データ構成を示す図であり、（ａ）はペン割付情報のデータ構成を示す図、（ｂ）は表示データのデータ構成を示す図。
【符号の説明】
【００４８】
３１    トレンドデータ保存部（格納手段）
３３    選択操作受付部（選択操作受付手段）
３４    表示部（表示手段）
３５    表示データ保存部（表示データ記憶手段）
３６    ペン割付情報保存部（ペン割付情報記憶手段）
【図１】
2009301260.tif 000003
【図２】
2009301260.tif 000004
【図６】
2009301260.tif 000005
【図３】
2009301260.tif 000006
【図４】
2009301260.tif 000007
【図５】
2009301260.tif 000008